(57)【要約】【課題】ペン軸の傾斜度が大きい場合でも、筆記性能の低下を抑制すると共にペン先の破損を防止し、また、構造的に組立が容易で、インク洩れを防止することのできるボールペン式筆記具を提供する。【解決手段】第二のインク流路１２は、直径が第一のインク流路１１の直径よりも小さく形成されると共に、該第二のインク流路１２の軸線Ｓ２が軸筒２の中心軸Ｓ１に並行する状態で第一のインク流路１１の先端に連結され、且つ、第二のインク流路１２の軸線Ｓ２がボール６の領域内を通過するように配置される。【選択図】図２
2007125754.tif 000002
【特許請求の範囲】
【請求項１】
先端にインクを導出するボールを転動可能に抱持するボールペン式筆記具であって、
インク収容室を有する軸筒と、前記軸筒より細身に形成され前記軸筒の先端に設けられたペン先部材と、前記軸筒の中心軸上に形成され、前記インク収容室からインクを導入する第一のインク流路と、前記ペン先部材において一体形成され、前記第一のインク流路からインクが導入される第二のインク流路と、前記第二のインク流路に導入されたインクを前記ボールの転動により導出し、前記ボールの抱持方向が前記第二のインク流路の軸線に対し所定角度傾斜したボール抱持手段とを備え、
前記第二のインク流路は、該第二のインク流路の軸線が前記軸筒の中心軸に並行する状態で前記第一のインク流路の先端に連結され、且つ、該第二のインク流路の軸線が前記ボールの領域内を通過するように配置されることを特徴とするボールペン式筆記具。
【請求項２】
前記ペン先部材は、
前記第二のインク流路と前記抱持手段とを樹脂部材により一体形成するボールペンチップと、
前記ボールペンチップの上面に設けられた金属板部材とを備えることを特徴とする請求項１に記載されたボールペン式筆記具。
【発明の詳細な説明】
【技術分野】
【０００１】
本発明は、先端にインクを導出するボールを転動可能に抱持するボールペン式筆記具に関する。
【背景技術】
【０００２】
通常のボールペン、即ちペン先端においてインクを導出するボールが加締め加工により転動可能に抱持されてなるボールペンで筆記する場合、一般にペン軸は筆記面に対して略６０°に傾けた状態で使用される場合が多く、筆記者によっては筆記面に対してペン軸をさらに寝かせた状態で使用される場合がある。
【０００３】
ところで、ボールを抱持するボール抱持部が紙面に接触する限界筆記角度は、構造上５０°程度になされている。このため、ペン軸を５０°以下に寝せて筆記すると、ボール抱持部が筆記面に接触し、書き味の低下やインクのかすれ等の問題が生じていた。
また、ボール抱持部が筆記面に擦られると、摩擦応力によりボール抱持部が徐々に変形してボールの転動が阻害され、場合によってはボール抱持部が破損してボールが脱落し、周囲をインクで汚損するという問題があった。
【０００４】
そこで、かかる問題を解決したものとして、ペン軸を５０°程度に傾けても筆記することのできる万年筆形状のボールペンが提案されている。
そのような万年筆形状のボールペンは、例えば特許文献１に開示されている。図９は、特許文献１に示される万年筆型のボールペンのペン先の縦断面図である。
【０００５】
図９に示すように、このボールペン２００の先端部においては、通常の万年筆のペン先形状に形成された上板２０１の裏側に、板２０３を介して下板２０２を重ね合わせ、それら板をリベット２０４により固着している。
上板２０１と下板２０２との間には、毛管作用を生ずる間隙がインク通路２０５として形成され、インク通路２０５の終端位置であるペン先には、上板２０１と下板２０２とによりボール抱持部２０６が形成されている。そしてボール抱持部２０６によりボール２０７が転動可能に抱持されている。
【０００６】
また、下板２０２は軸筒２１０に取り付けられたインク供給材２１１に載置され、上板２０１と共に軸筒２１０に着脱可能に取り付けられている。下板２０２の軸方向の中央部にはスリット２０２ａが形成され、また、下板２０２とインク供給材２１１との間にはインク通路２１２が形成されており、軸筒２１０内に収容されたインクは、インク通路２１２に先ず供給され、スリット２０２ａを通ってインク通路２０５に流れ、さらにインク通路２０５からペン先に供給されるように構成されている。
【０００７】
このように構成された万年筆形状のボールペン２００によれば、筆記面に対し一般的な傾斜角度（例えば６０°）傾斜させたペン軸に対し、ボール抱持部２０７に抱持されたボール２０７の露出面が筆記面に対し適度に臨むように構成されているため、ペン軸をさらに５０°〜４０°に傾斜させてもボール抱持部２０７が筆記面に接触しないようにすることができる。
また、万年筆のように金属板でペン先を構成することにより、筆記時に適度な弾力を得られ、書き味を向上することができる。
【特許文献１】実公昭５９−１４２３５号公報
【発明の開示】
【発明が解決しようとする課題】
【０００８】
前記したように、特許文献１に開示されたボールペン２００にあっては、ペン軸を傾斜させた状態で、ボール抱持部２０６が抱持するボール２０７の露出面が筆記面に対し適度に臨む構造となされる。このため、図９に示すように、上板２０１と下板２０２とは、ボール抱持部２０６を形成するよう共にペン先の部位Ｐにおいて屈曲し、それにより形成されるインク通路２０５も屈曲している。
【０００９】
しかしながら、この構造にあっては、図９に破線で示す部位Ｐにおいてインクが滞留しやすく、その結果、インクが固化して詰まりやすくという課題があった。また、筆記時には、部位Ｐに応力が集中し、ペン先が破断しやすいという課題があった。
さらには、上板２０１と下板２０２とを組み合わせることによりインク通路２０５やボール抱持部２０７を形成する構造であるため、その組立が困難であり、また、各板部材の接合箇所からインク漏れが生じやすいという課題があった。
【００１０】
本発明は、前記したような事情の下になされたものであり、ペン軸の傾斜度が大きい場合でも、筆記性能の低下を抑制すると共にペン先の破損を防止し、また、構造的に組立が容易で、インク洩れを防止することのできるボールペン式筆記具を提供することを目的とする。
【課題を解決するための手段】
【００１１】
前記した課題を解決するために、本発明に係るボールペン式筆記具は、先端にインクを導出するボールを転動可能に抱持するボールペン式筆記具であって、インク収容室を有する軸筒と、前記軸筒より細身に形成され前記軸筒の先端に設けられたペン先部材と、前記軸筒の中心軸上に形成され、前記インク収容室からインクを導入する第一のインク流路と、前記ペン先部材において一体形成され、前記第一のインク流路からインクが導入される第二のインク流路と、前記第二のインク流路に導入されたインクを前記ボールの転動により導出し、前記ボールの抱持方向が前記第二のインク流路の軸線に対し所定角度傾斜したボール抱持手段とを備え、前記第二のインク流路は、該第二のインク流路の軸線が前記軸筒の中心軸に並行する状態で前記第一のインク流路の先端に連結され、且つ、該第二のインク流路の軸線が前記ボールの領域内を通過するように配置されることに特徴を有する。
【００１２】
このように構成されているため、筆記者が例え、筆記面に対し５０°〜４０°程度、軸筒を傾斜させたとしても、ボール抱持部が筆記面に接触することなく、また、ボールの露出面が筆記面に適度に臨むようにすることができる。したがって、筆記性能の低下を抑制し、摩擦応力による破損等の不具合を防止することができる。
また、小径インク流路の軸線が、ボールの領域内を通過するようになされるため、ペン先部材において屈曲した部位を形成する必要が無い。したがって、筆記圧による応力集中がなく、ペン先の破損を防止することができ、また、インクの滞留が発生しないため、固化によるインク詰まり等の不具合を防止することができる。
さらには、小径インク流路が一体形成されることにより、ペン先のインク流路での接合部が無く、インク漏れを防止することができる。
また、部材点数が少なく、精巧な作業が要求されるような複雑な構造ではないため、組立を容易に行うことができる。
【００１３】
また、前記ペン先部材は、前記第二のインク流路と前記抱持手段とを樹脂部材により一体形成するボールペンチップと、前記ボールペンチップの上面に設けられた金属板部材とを備えることが望ましい。
このように樹脂性のボールペンチップに金属板部材を設けることにより、万年筆のようなペン先の弾力性を得ることができ、筆記性能を向上し、長時間の使用での手指の疲労を軽減することができる。
【発明の効果】
【００１４】
本発明によれば、ペン軸の傾斜度が大きい場合でも、筆記性能の低下を抑制すると共にペン先の破損を防止し、また、構造的に組立が容易で、インク洩れを防止することのできるボールペン式筆記具を得ることができる。
【発明を実施するための最良の形態】
【００１５】
以下、本発明の実施の形態を図面に基づき説明する。図１は本発明のボールペン式筆記具の実施の形態の全体構成を示す側断面図である。
図示するように、このボールペン式筆記具１００は、例えばプラスチック等の樹脂材料により形成された円筒形状の軸筒２と、軸筒よりも細身に形成され筆記時にインクが導出されるペン先部材１とを備えている。軸筒２の後端は閉塞され、開放状態に形成された先端には継手部材４を介してペン先部材１が嵌着されている。
【００１６】
軸筒２内のペン先側（図１において下側）には、軸筒２の内周面に勘合してインク保留体３が設けられ、このインク保留体３には、ペン軸方向に貫通する大径インク流路１１（第一のインク流路）が軸筒２の中心軸Ｓ１上に形成されている。そして、この大径インク流路１１には、インクを吸収補充しペン先へ誘導する大径インク誘導芯５が挿入されている。
【００１７】
また、軸筒２内のインク保留体３よりも後方側（図１において上側）には、インクを収容するインク収容室２ａが形成され、大径インク誘導芯５の後端は、図示するようにインク収容室２ａ内に所定の長さだけ突出するようになされている。即ち、大径インク誘導芯５へのインク吸収量は、この突出長により適切に調整されている。
また、大径インク誘導芯５の先端は、詳細に後述するペン先部材１に接続され、このペン先部材１に対し大径インク誘導芯５からインクが供給されるように構成されている。
【００１８】
尚、大径インク誘導芯５は、スポンジ等の高分子発泡体、多孔質のゴム体、不織布、フェルト、繊維束を樹脂で固めたもの、金属、セラミック、高分子焼結体などにより形成され、インクを毛管作用で誘導可能とする多孔質体、軸線方向に毛細間隙を形成して毛管作用を構成可能とする樹脂製棒状体のいずれかにより形成されるのが好ましい。
また、インク保留体３は、例えば樹脂により形成されるが、軽量化のため、軸筒２との接触面側に複数の羽による間隙が形成され、これにより強度の低下も抑制されている。
【００１９】
続いて、図２乃至図５に基づいて、ペン先部材１の説明を行う。図２は、図１を一部拡大して示したペン先部材１周辺の側断面図であり、図３は、図２のペン先部材１の先端の拡大図である。また、図４は、図２のペン先部材１周辺を上側から見た断面図であり、図５は、ペン先部材１を、その先端側から見た正面図である。
【００２０】
図２に示すペン先部材１は、後部がインク保留体３の先端部に嵌合してペン先に装着され、先端にボール６を転動可能に抱持するボールペンチップ７を有している。このボールペンチップ７は、例えば樹脂により一体形成され、インク流路形成のためペン軸方向に貫通孔を有し、その貫通孔のペン先側（図２の下側）には、小径インク流路１２（第二のインク流路）が形成されている。そして、この小径インク流路１２にはインクを吸収しボール６へインク供給するための小径インク誘導体８が挿入されている。
尚、小径インク流路１２（小径インク誘導芯８）の直径は大径インク流路１１（大径インク誘導芯５）の直径よりも小さく形成され、その材質は、前記した大径インク誘導芯５を形成する部材と同じ部材により形成されるのが望ましい。
【００２１】
また、図２に示すように、ボールペンチップ７の後端から内部中央に亘り大径インク誘導芯５の先端部が挿入されている。したがって、ボールペンチップ７内の大径インク誘導芯５が挿入されている部位は、大径インク流路１１として形成されている。
ここで、ボールペンチップ７内において、小径インク誘導芯８（小径インク流路１２）の後端が大径インク誘導芯５（大径インク流路１１）の先端（下面）に連結するように形成されている。また、小径インク誘導芯８（小径インク流路１２）の軸線Ｓ２が軸筒２の中心軸Ｓ１の側方に並行するようになされる。好ましくは、図示するように小径インク誘導芯８（小径インク流路１２）の外周面が、大径インク流路１１の内周面に沿うように設けられ、軸線Ｓ２と中心軸Ｓ１とが最大限離された状態になされる。
【００２２】
また、ボールペンチップ７の先端には、ボール６を抱持するボール抱持部７ａ（ボール抱持手段）が形成されている。図３に示すように、このボール抱持部７ａによるボール６の抱持方向を示す軸線Ｓ３は、軸線Ｓ２（Ｓ１）に対し所定の角度Ａだけ傾斜するように構成されている。そして、その状態においては、必ず、小径インク誘導芯８（小径インク流路１２）の軸線Ｓ２がボール６の領域内を通過するようになされる。尚、この所定角度（抱持角度）Ａは、１０°〜５０°の範囲で設定され、好ましくは２０°〜４０°の範囲になされる。
【００２３】
また、ボール抱持部７ａはボールペンチップ７の一部として樹脂材料により一体形成され、ボール６が露出される開口部７ｂはボール６の直径よりも小さく形成される。したがって、ボール６をボール抱持部７ａに収容する際には、開口部７ｂを弾性変形させて入れ込み、転動可能な状態になされる。
【００２４】
また、図２、図４、図５に示すように、ボールペンチップ７の上面には、ステンレス等の金属により形成された板状のカバー部材９（金属板部材）が設けられ、このカバー部材９は、図５の正面図に示すように、ボールペンチップ７を把持するように固定されている。カバー部材９は、ペン先の撓み強度を補強する機能、ペン先の向きを瞬時に識別するための表示板としての機能、また、装飾板としての機能等を有する。また、その形状は一形状に限定されないが、例えば、万年筆の形状であってもよい。
【００２５】
このように構成されたボールペン式筆記具１００により筆記を行う際には、金属のカバー部材９が上面となるよう筆記具１００を握り、ペン軸を筆記者の所望の角度（例えば６０°）に傾けた状態で筆記を行う。
この状態では、軸筒２よりも細身に形成されたペン先部材１において、軸筒２の中心軸Ｓ１の側方に並行する小径インク誘導芯８（小径インク流路１２）の軸線Ｓ２は、中心軸Ｓ１よりも上側に位置する。このため、筆記荷重はボール６に集中せず、過度の荷重応力による筆記性能の低下やペン先破断を回避することができ、また、カバー部材９が適度に撓むことにより、ペン先位置が安定して筆記性能を向上させることができる。
また、ペン先部材１の先端のボール抱持部７ａによるボール６の抱持方向（軸線Ｓ３の方向）は、例えば軸筒２の傾斜角度が６０°のときにボール６の露出面が筆記面に対し最適に臨むように、筆記面に直交する方向に傾斜している。即ち、さらに軸筒２を５０°〜４０°にまで傾斜させてもボール抱持部７ａが筆記面に接触しないようにすることができる。
【００２６】
以上のように、本発明に係る実施の形態によれば、筆記者が例え、筆記面に対し５０°〜４０°程度、筆記具１００を傾斜させたとしても、ボール抱持部７ａが筆記面に接触することなく、また、ボール６の露出面が筆記面に適度に臨むようになされる。したがって、筆記性能の低下を抑制し、摩擦応力による破損等の不具合を防止することができる。
【００２７】
また、小径インク流路１２の軸線Ｓ２が、ボール６の領域内を通過するようになされているため、ボールペンチップ７の先端で屈曲した部位が無い。したがって、筆記圧による応力集中がなく、ペン先の破損を防止することができ、また、インクの滞留が発生しないため、固化によるインク詰まり等の不具合を防止することができる。
さらには、ペン先でのインク流路となる小径インク流路１２とボール抱持部７ａとはボールペンチップ２内に一体形成されるため、ペン先のインク流路での接合部が無くインク漏れを防止することができる。
また、部材点数が少なく、精巧な作業が要求されるような複雑な構造ではないため、組立を容易に行うことができる。
【００２８】
また、このボールペンチップ７にカバー部材９を設けることにより、万年筆のようなペン先の弾力性を得ることができ、筆記性能を向上し、長時間の使用での手指の疲労を軽減することができる。
【００２９】
尚、前記実施の形態においては、大径インク誘導芯５と小径インク誘導芯８とを別々の部材としたが、それらを一部材として形成し用いてもよい。
また、本発明に係るボールペン式筆記具においては、図１に示した全体構成の形態に限定されず、その他の構成を採用することもできる。
例えば、図６に、本発明に係るボールペン式筆記具の他の全体構成例として、ボールペン式筆記具１０１を示す。尚、図６に示すボールペン式筆記具１０１においては、前記したボールペン式筆記具１００における同一部材は同じ符号を用い、その詳細な説明は省略する。
【００３０】
前記したボールペン式筆記具１００と異なる箇所を説明すると、このボールペン式筆記具１０１は、図１で示したインク保留体３は用いられず、大径インク誘導芯５はボールペンチップ７により支持される。そして、インク保留体３が無いために、より大きな容積となったインク収容室２ａには、中綿１４が充填され、この中綿１４にインクが貯留されている。
【００３１】
尚、インク収容室２ａに突出した大径インク誘導芯５の長さにより、大径インク誘導芯５へのインク吸収量が調整されるため、図１に示した形態よりも大径インク誘導芯５の長さは短く示している。
また、継手部材４には、インクをペン先に移動させるための空気孔４ａが形成されている。
【００３２】
このボールペン式筆記具１０１によれば、前記したボールペン式筆記具１００と同様の効果を得ることができ、また、ボールペン式筆記具１００に比べ、複雑な構造のインク保留体３を用いないため、製造コストを低減することができる。
【００３３】
また、前記ボールペン式筆記具１００、１０１の構成以外にも、本発明に係るボールペン式筆記具の全体構成は、図７に示すボールペン式筆記具１０２の構成であってもよい。尚、図７に示すボールペン式筆記具１０２においては、前記したボールペン式筆記具１００における同一部材は同じ符号を用い、その詳細な説明は省略する。
図７において、前記したボールペン式筆記具１００と異なる箇所を説明すると、図示するように、このボールペン式筆記具１０２は、図１で示したインク保留体３、大径インク誘導芯５、小径インク誘導体８が用いられない。
【００３４】
そして、インク保留体３が無いために、より大きな容積となったインク収容室２ａには、ゲルインク１５が充填され、このゲルインク１５の上方には、ゲルインク１５の揮発を防止するためのフォロア材１６が充填されている。
尚、筆記によりゲルインク１５が消費されるに伴い、フォロア材１６もインクに追従し、ペン先方向に移動するようになされている。また、ペン軸後端には、インクをペン先に移動させるための空気孔２ｂが形成されている。
このボールペン式筆記具１０２によれば、前記したボールペン式筆記具１００と同様の効果を得ることができる。
【００３５】
また、前記実施の形態においては、例えば図２に示すように、ボールペンチップ７に形成された貫通孔により第二のインク流路としての小径インク流路１２を形成したが、その構成に限定されるものではない。
例えば、図８に示すように、ボールペンチップ７の先端に、ボールペンチップ７よりも細い金属パイプ７ｃを突出させて設け、その金属パイプ７ｃ内に第二のインク流路を形成してもよい。この場合、金属パイプ７ｃの先端にはボール６を抱持するボール抱持部７ｄが一体形成され、金属パイプ７ｃ内には小径インク誘導芯８が収容される。即ち、小径インク誘導芯８により第二のインク流路が形成される。
この構成によれば、ペン先において、先端にボール抱持部７ｄを有する細い金属パイプ７ｃが突出して設けられているため、特に細い文字の筆記に適したボールペン式筆記具を得ることができる。
【産業上の利用可能性】
【００３６】
本発明は、先端にインクを導出するボールを転動可能に抱持するボールペン式筆記具に適用される。
【図面の簡単な説明】
【００３７】
【図１】図１は本発明のボールペン式筆記具の実施の形態の全体構成を示す側断面図である。
【図２】図２は、図１を一部拡大して示したペン先部材周辺の側断面図である。
【図３】図３は、図２のペン先部材の先端の拡大図である。
【図４】図４は、図２のペン先部材周辺を上側から見た断面図である。
【図５】図５は、ペン先部材を、その先端側から見た正面図である。
【図６】図６は、本発明のボールペン式筆記具の他の全体構成例を示す側断面図である。
【図７】図７は、本発明のボールペン式筆記具の他の全体構成例を示す側断面図である。
【図８】図８は、本発明のボールペン式筆記具のペン先部材の他の構成例を示す測断面図である。
【図９】図９は、従来の万年筆型のボールペンのペン先の縦断面図である。
【符号の説明】
【００３８】
１        ペン先部材
２        軸筒
２ａ      インク収容室
３        インク保留体
４        継手部材
５        大径インク誘導芯
６        ボール
７        ボールペンチップ
７ａ      ボール抱持部（ボール抱持手段）
８        小径インク誘導芯
９        カバー部材（金属板部材）
１１      大径インク流路（第一のインク流路）
１２      小径インク流路（第二のインク流路）
１００    ボールペン式筆記具
Ｓ１      中心軸（軸筒の中心軸）
Ｓ２      軸線（第二のインク流路の軸線）
Ｓ３      軸線
【図１】
2007125754.tif 000003
【図２】
2007125754.tif 000004
【図３】
2007125754.tif 000005
【図４】
2007125754.tif 000006
【図５】
2007125754.tif 000007
【図６】
2007125754.tif 000008
【図７】
2007125754.tif 000009
【図８】
2007125754.tif 000010
【図９】
2007125754.tif 000011